(57)【要約】【課題】記録材の消費に関する情報を考慮して画質情報を設定することのできる画像処理装置を提供する。【解決手段】画像処理装置は、印刷対象の画像毎に画像データと画質を決定する一つ以上の要素の基準値とに基づき記録材の消費量を算出する第１の算出手段と、画質を決定する要素毎に当該要素の値の調整範囲に対応する記録材の消費量の変動範囲を算出する第２の算出手段と、画質を決定する要素毎に前記調整範囲を示す情報と前記変動範囲を示す情報とを対応付けて表示手段に表示させる制御を行う制御手段と、を備える。【選択図】図１
2011053980.tif 000002
【特許請求の範囲】
【請求項１】
印刷対象の画像毎に画像データと画質を決定する一つ以上の要素の予め定められる値とに基づき記録材の消費量を算出する第１の算出手段と、
前記画質を決定する要素毎に当該要素の値の調整範囲に対応する前記記録材の消費量の変動範囲を算出する第２の算出手段と、
前記画質を決定する要素毎に前記調整範囲を示す情報と前記変動範囲を示す情報とを対応付けて表示手段に表示させる制御を行う制御手段と、
を有することを特徴とする画像処理装置。
【請求項２】
前記制御手段は、
前記画質を決定する一つ以上の要素のうち少なくとも一つの要素についての値が調整された場合に、当該調整後の一つ以上の要素の値に応じた記録材の総消費量の変動率を求め、該記録材の総消費量の変動率を前記表示手段に表示させる制御を行う、
ことを特徴とする請求項１に記載の画像処理装置。
【請求項３】
前記制御手段は、
前記画質を決定する一つ以上の要素の値の調整に関する記録材の消費を抑制させる指針を示す情報を前記表示手段に表示させる制御を行う、
ことを特徴とする請求項１または２に記載の画像処理装置。
【請求項４】
前記制御手段は、
前記画質を決定する一つ以上の要素以外の記録材の消費に影響を与える設定項目について、当該設定項目に属する複数の選択肢のそれぞれに対応して記録材の消費量の変動に関する情報を前記表示手段に表示させる制御を行う、
ことを特徴とする請求項１〜３の何れか一項に記載の画像処理装置。
【請求項５】
印刷対象の画像毎に画像データと画質を決定する一つ以上の要素の予め定められる値とに基づき記録材の消費量を算出する第１の算出処理過程と、
前記画質を決定する要素毎に当該要素の値の調整範囲に対応する前記記録材の消費量の変動範囲を算出する第２の算出処理過程と、
前記画質を決定する要素毎に前記調整範囲を示す情報と前記変動範囲を示す情報とを対応付けて表示手段に表示させる制御を行う制御処理過程と、
をコンピュータに実行させることを特徴とする画像処理プログラム。
【発明の詳細な説明】
【技術分野】
【０００１】
本発明は、画像処理装置、画像処理プログラムに関するものである。
【背景技術】
【０００２】
プリンタには明度や彩度など所望の画質を得るための画質調整機能が搭載されているものもあり、このようなプリンタにおいては、ユーザが画質調整機能を使用して明度や彩度などの値を調整することにより、その画質調整の結果によっては記録材の消費が抑制される。
【０００３】
また、プリンタには、入力画像データに基づいてインク打ち込み量や総インク消費量を求め、これら求めた情報をディスプレイ表示し、ユーザがディスプレイ表示された内容を参考にしてインク打ち込み量を設定するものもある（例えば、特許文献１参照。）。
【先行技術文献】
【特許文献】
【０００４】
【特許文献１】特開２００６−２２４４５４号公報
【発明の概要】
【発明が解決しようとする課題】
【０００５】
本発明は、記録材の消費に関する情報を考慮して画質情報を設定することのできる画像処理装置、画像処理プログラムを提供することを目的とする。
【課題を解決するための手段】
【０００６】
上記課題を解決するため、請求項１に記載の本発明の画像処理装置は、印刷対象の画像毎に画像データと画質を決定する一つ以上の要素の予め定められる値とに基づき記録材の消費量を算出する第１の算出手段と、前記画質を決定する要素毎に当該要素の値の調整範囲に対応する前記記録材の消費量の変動範囲を算出する第２の算出手段と、前記画質を決定する要素毎に前記調整範囲を示す情報と前記変動範囲を示す情報とを対応付けて表示手段に表示させる制御を行う制御手段と、を有することを特徴とする。
【０００７】
請求項２に記載の発明は、上記請求項１に記載の発明において、前記制御手段は、前記画質を決定する一つ以上の要素のうち少なくとも一つの要素についての値が調整された場合に、当該調整後の一つ以上の要素の値に応じた記録材の総消費量の変動率を求め、該記録材の総消費量の変動率を前記表示手段に表示させる制御を行う、ことを特徴とする。
【０００８】
請求項３に記載の発明は、上記請求項１または２に記載の発明において、前記制御手段は、前記画質を決定する一つ以上の要素の値の調整に関する記録材の消費を抑制させる指針を示す情報を前記表示手段に表示させる制御を行う、ことを特徴とする。
【０００９】
請求項４に記載の発明は、上記請求項１〜３の何れか一項に記載の発明において、前記制御手段は、前記画質を決定する一つ以上の要素以外の記録材の消費に影響を与える設定項目について、当該設定項目に属する複数の選択肢のそれぞれに対応して記録材の消費量の変動に関する情報を前記表示手段に表示させる制御を行う、ことを特徴とする。
【００１０】
上記課題を解決するため、請求項５に記載の本発明の画像処理プログラムは、印刷対象の画像毎に画像データと画質を決定する一つ以上の要素の予め定められる値とに基づき記録材の消費量を算出する第１の算出処理過程と、前記画質を決定する要素毎に当該要素の値の調整範囲に対応する前記記録材の消費量の変動範囲を算出する第２の算出処理過程と、前記画質を決定する要素毎に前記調整範囲を示す情報と前記変動範囲を示す情報とを対応付けて表示手段に表示させる制御を行う制御処理過程と、をコンピュータに実行させることを特徴とする。
【発明の効果】
【００１１】
請求項１記載の発明によれば、記録材の消費に関する情報を考慮して画質情報を設定することができる。
【００１２】
請求項２記載の発明によれば、記録材の総消費量の変動率を参考にして、記録材の消費量を抑制するべく印刷対象の画像にかかわる画質を決定する一つ以上の要素について画質調整することができる。
【００１３】
請求項３記載の発明によれば、記録材の消費を抑制させる指針を示す情報を参考にして、記録材の消費量を抑制するべく印刷対象の画像にかかわる画質を決定する一つ以上の要素について画質調整することができる。
【００１４】
請求項４記載の発明によれば、記録材の消費に影響を与える設定項目に対応して表示される記録材の消費量が変動する旨を参考にして、記録材の消費量を抑制するべく当該設定項目に属する複数の選択肢の中から所望の選択肢を選択することができる。
【００１５】
請求項５記載の発明によれば、記録材の消費に関する情報を考慮して画質情報を設定させるソフトウェアを提供することができる。
【図面の簡単な説明】
【００１６】
【図１】第１の実施の形態に係わる画像処理装置の機能を示すブロック図である。
【図２】第１の実施の形態に係わる画像処理装置の画質情報の設定処理の処理手順を示すフローチャートである。
【図３】第１の実施の形態に係わる画質調整画面の一例を示す図である。
【図４】第１の実施の形態に係わる画質調整画面の詳細な内容を説明する図である。
【図５】第１の実施の形態に係わる画質調整画面に対して画質調整が行われた場合の画質調整後の画質調整画面を示す図である。
【図６】第１の実施の形態に係わるカラーバランス調整画面の一例を示す図である。
【図７】第１の実施の形態に係わる画像処理装置のハードウェア構成を示す構成図である。
【図８】第２の実施の形態に係わる印刷設定プロパティの一例を示す図である。
【図９】第２の実施の形態に係わる印刷設定プロパティの中のおすすめ画質タイプの設定値の変更を説明する図である。
【図１０】第２の実施の形態に係わる印刷設定プロパティの中のカラーモードの設定値の変更を説明する図である。
【図１１】第２の実施の形態に係わる印刷設定プロパティの中の印刷モードの設定値の変更を説明する図である。
【図１２】第２の実施の形態に係わる印刷設定プロパティの中の画質調整モードの設定値の変更を説明する図である。
【図１３】第２の実施の形態に係わる印刷設定プロパティの中の画質調整モードの設定値の変更を説明する図である。
【発明を実施するための形態】
【００１７】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１８】
（第１の実施の形態）
【００１９】
第１の実施の形態に係わる画像処理装置について説明する。
【００２０】
画像処理装置１０は、図１に示すように、画像処理部１００、デフォルト印刷設定情報記憶部１０１、グラフィカルユーザインタフェース１０２、入力部１０３、および表示部１０４を有している。
【００２１】
デフォルト印刷設定情報記憶部１０１は、印刷に関するデフォルト設定の値（以下「デフォルト印刷設定情報」という。）を記憶している。
【００２２】
デフォルト印刷設定情報は、例えば、記録媒体としての例えば用紙の用紙サイズ、出力部数、用紙の向き、片面印刷または両面印刷、画質情報、画質タイプ、カラーモード、印刷モード、画質調整モードなど複数の設定項目を含んでいる。
【００２３】
画質情報は、画質を決定する一つ以上の要素、例えば、「明度」、「彩度」、「色相」、「カラーバランス」、「シャープネス」、「コントラスト」など画質を決定する要素の値を示すパラメータ、および要素毎に要素の値の調整範囲を示す情報を含んでいる。なお、各パラメータの値についてはユーザによって変更される。また、要素の値の調整範囲は第１の値から第２の値までの予め設定される範囲で固定の値となっており、デフォルト設定される値（デフォルト設定値）を含んでいる。
【００２４】
画質タイプは、例えば、「標準（デフォルト）」、「写真」、「プレゼンテーション」、「ｗｅｂページ」、「ＣＡＤ」、「ＰＯＰ」の各選択肢を示すパラメータを含んでいる。
【００２５】
カラーモードは、例えば、「カラー」、「白黒」の各選択肢を示すパラメータを含んでいる。
【００２６】
印刷モードは、例えば、「標準（デフォルト）」、「高画質」、「高精細」の各選択肢を示すパラメータを含んでいる。
【００２７】
画質調整モードは、例えば「おすすめ（デフォルト）」、「ＩＣＭ調整」、「ＣＭＳ調整」、「色変換しない」の各選択肢を示すパラメータを含んでいる。
【００２８】
なお、デフォルト印刷設定情報の複数の設定項目のうち少なくとも一つの設定項目のデフォルト設定の値（デフォルト設定値）が変更された場合、デフォルト印刷設定情報は全ての設定項目についてデフォルト設定された値が設定されていないので、デフォルト設定の値が変更された変更後のデフォルト印刷設定情報を印刷設定情報と定義する。
【００２９】
画像処理部１００は、データ読込部１１０、画像解析部１２０、制御部１３０および画像出力部１４０を有している。
【００３０】
データ読込部１１０は、アプリケーションソフトウェア１０５から印刷指示があった場合に、アプリケーションソフトウェア１０５から、印刷指示された印刷対象の描画情報（印刷データ）を読み込むとともに、読み込んだ描画情報を基に赤（Ｒ）、緑（Ｇ）、青（Ｂ）の各色（ＲＧＢ）のラスター画像データ（印刷データ）を生成し、さらに生成したＲＧＢのラスター画像データ（印刷データ）を画像解析部１２０へ出力する。
【００３１】
画像解析部１２０は、縮小画像生成部１２１、シミュレーション部１２２、第１の算出部１２３および第２の算出部１２４を有し、縮小画像生成処理、シミュレーション処理および算出処理を実行する。
【００３２】
縮小画像生成部１２１は、印刷対象のＲＧＢの画像データを基に、当該画像データに基づく画像を予め定められた画像サイズに縮小し、または予め定められた縮小率で縮小し、縮小画像を生成する。このようにして生成された縮小画像は制御部１３０に与えられる。
【００３３】
シミュレーション部１２２は、ＲＧＢの画像データに対し、画質情報と色空間変換用の多次元（３次元など）のルックアップテーブル（ＬＵＴ）とに基づきＲＧＢ色空間からＣＭＹＫ色空間に色変換する色変換処理を実行するとともに、色変換処理後のＣＭＹＫ色空間の画像データに対し、階調再現曲線（ＴＲＣ）に基づき階調補正する階調補正処理を実行する。この処理の結果はＣＭＹＫの画像データである。すなわち、画像解析部１２０は、プリンタなど画像形成装置の例えばコントローラなど制御手段で実施される上記色変換処理および階調補正処理など画像処理をシミュレーションする。
【００３４】
第１の算出部１２３は、第１の算出手段の機能を有し、印刷対象の画像毎に画像データと画質を決定する一つ以上の要素の予め定められる値（デフォルト設定値）とに基づき記録材の消費量を算出する。この記録材の消費量の算出の詳細については後述する。
【００３５】
第２の算出部１２４は、第２の算出手段の機能を有し、画質を決定する要素毎に当該要素の値の調整範囲に対応する記録材の消費量の変動範囲を算出する。この記録材の消費量の変動範囲の算出の詳細については後述する。
【００３６】
制御部１３０は、制御手段の機能を有し、次の（１）〜（４）の各処理を実行する
【００３７】
（１）制御部１３０は、画質を決定する要素毎に、上記要素の値の調整範囲（画質調整範囲）を示す情報（以下「画質調整範囲情報」という。）と上記記録材の消費量の変動範囲を示す情報（以下「記録材消変動範囲情報」という。）とを対応付けて表示部１０４に表示させる制御を行う。
【００３８】
（２）制御部１３０は、上記画質を決定する一つ以上の要素のうち少なくとも一つの要素についての値が調整された場合に、当該調整後の一つ以上の要素の値に応じた記録材の総消費量の変動率（以下「記録材総消費変動率」という。）を求め、該記録材総消費変動率を表示部１０４に表示させる制御を行う。
【００３９】
（３）制御部１３０は、画質を決定する一つ以上の要素の値の調整に関する記録材の消費を抑制させる指針を示す情報（以下「記録材消費抑制指針情報」という。）を表示部１０４に表示させる制御を行う。
【００４０】
（４）制御部１３０は、ユーザによる画質調整を終了する旨が指示された場合に、画質情報を含む印刷設定情報と印刷対象の画像データとを画像出力部１４０へ出力する
【００４１】
画像出力部１４０は、受け取った印刷設定情報および印刷対象の画像データを印刷ジョブとして図示しないプリンタに向けて出力し印刷要求を行う。
【００４２】
グラフィカルユーザインタフェース（以下「ＧＵＩ」という。）１０２は、ＧＵＩの機能を有し、例えばプリケーションソフトウェア１０５により提供される印刷ダイアログ（プロパティ）や画像処理部１００によって提供される印刷設定プロパティ、画質調整画面など表示情報を表示部１０４へ出力するとともに、印刷ダイアログ、印刷設定プロパティや画質調整画面に対して入力された入力情報を画像処理部１００へ出力する。
【００４３】
入力部１０３は、例えば入力装置であり、表示部１０４に表示された印刷設定プロパティに対する印刷設定する旨や画質調整画面に対する画質調整する旨の指示、選択肢の選択、値の設定など入力情報を入力する。
【００４４】
表示部１０４は、表示手段の機能を有し、ＧＵＩ１０２からの印刷設定プロパティや画質調整画面など表示情報を表示する。表示部１０４は、例えば表示装置で構成される。
【００４５】
なお、本願明細書では、画像処理部１００はプリンタドライバを想定している。しかし、画像処理部１００は、プリンタドライバに限定されるものではなく、専用のソフトウェア、ファームウェア、またはハードウェアで構成するようにしてもよい。
【００４６】
次に、画像処理装置１０による画質情報の設定処理について、図２を参照して説明する。
【００４７】
アプリケーションソフトウェア１０５から印刷指示があると、プリンタドライバとしての画像処理部１００では、データ読込部１１０は、アプリケーションソフトウェア１０５から、印刷指示された印刷対象の描画情報（印刷データ）を読み込み（ステップＳ１０１）、読み込んだ描画情報よりＲＧＢのラスター画像データ（印刷データ）を生成し、画像解析部１２０へ出力する。
【００４８】
画像解析部１２０は、デフォルト印刷設定情報記憶部１０１からデフォルト印刷設定情報を読み込む。
【００４９】
第１の算出部１２３は、印刷対象の画像データと画質を決定する一つ以上の要素の予め定められる値（デフォルト設定値）とに基づき記録材の消費量を算出する（ステップＳ１０２）。この記録材の消費量は、印刷対象の画像（画像データ）毎に算出される。
【００５０】
ここで、第１の算出部１２３による記録材の消費量の算出処理について説明する。
【００５１】
第１の算出部１２３が、デフォルト印刷設定情報の中のデフォルト設定値となっている画質情報をシミュレーション部１２２に与えると、シミュレーション部１２２は、与えられた画質情報と多次元（３次元など）のルックアップテーブル（ＬＵＴ）とに基づきＲＧＢの画像データをＲＧＢ色空間からＣＭＹＫ色空間に色変換するとともに、階調再現曲線（ＴＲＣ）に基づき色変換処理後のＣＭＹＫ色空間の画像データを階調補正する。この処理の結果であるＣＭＹＫの画像データは、第１の算出部１２３に向けて出力される。
【００５２】
なお、ＲＧＢ色空間は、赤（Ｒ）、緑（Ｇ）、青（Ｂ）の各色（ＲＧＢ色）で表現される色空間を示す。
【００５３】
ＣＭＹＫ色空間は、シアン（Ｃ）、マゼンタ（Ｍ）、イエロー（Ｍ）およびブラック（Ｋ）の各色（ＣＭＹＫ色）で表現される色空間を示す。
【００５４】
第１の算出部１２３は、シミュレーション部１２２からのシミュレーションの結果つまりＣＭＹＫの画像データを取得し、このＣＭＹＫの画像データを基にＣＭＹＫ色の色毎の出力プレーン情報（ビットマスク）を生成するとともに、この生成したＣＭＹＫ色の色毎の出力プレーン情報を基にＣＭＹＫ色空間の色毎の画像に関する画像密度（以下「ＣＭＹＫ画像密度」という。）を算出する。このＣＭＹＫ画像密度をデフォルト設定適用時のＣＭＹＫ画像密度と定義する。
【００５５】
本願明細書では、デフォルト設定適用時のＣＭＹＫ画像密度を上述した記録材の消費量と定義する。
【００５６】
ここで、第１の算出部１２３によるデフォルト設定適用時のＣＭＹＫ画像密度（記録材の消費量）の算出について説明する。
【００５７】
ＣＭＹＫ色空間のＣＭＹＫ色で表現される画像（ＣＭＹＫ画像）Ａに関し、Ｃ色の画像Ａに関する画像密度をＣａ、Ｍ色の画像Ａに関する画像密度をＭａ、Ｙ色の画像Ａに関する画像密度をＹａ、Ｋ色の画像Ａに関する画像密度をＫａとした場合、第１の算出部１２３は、次の数１の式を演算することでＣＭＹＫ画像密度を算出する。ただし、ＣＭＹＫ画像Ａの画像サイズは、横＝ｗｉｄｔｈ、縦＝ｈｅｉｇｈｔとする。
【数１】
2011053980.tif 000003
【００５８】
ここで、Ｐｃ（ｘ，ｙ）は画像Ａの座標（ｘ，ｙ）の画素のＣ色の値を示し、ＰＭ（ｘ，ｙ）は画像Ａの座標（ｘ，ｙ）の画素のＭ色の値を示し、ＰＹ（ｘ，ｙ）は画像Ａの座標（ｘ，ｙ）の画素のＹ色の値を示し、ＰＫ（ｘ，ｙ）は画像Ａの座標（ｘ，ｙ）の画素のＫ色の値を示す。
【００５９】
上述したようにして第１の算出部１２３によるＣＭＹＫ画像密度（記録材の消費量）が算出されると、第２の算出部１２４は、図２に示すように、画質を決定する要素毎に、画質調整範囲情報と記録材消費変動範囲情報との関係を求める（ステップＳ１０３）。すなわち、第２の算出部１２４は、要素の値の調整範囲に対応する記録材の消費量の変動範囲を算出する。
【００６０】
ここで、第２の算出部１２４による記録材の消費量の変動範囲の算出処理について説明する。
【００６１】
第２の算出部１２４は、デフォルト印刷設定情報の中の画質情報つまり画質を決定する一つ以上の要素のうち、注目する要素のみについて当該要素の値をデフォルト設定値から調整範囲（画質調整範囲）の第１の値に変更する。この場合、注目する要素以外の要素の値については調整範囲に含まれるデフォルト設定値のままで変更されない。なお、前記要素の値が変更された変更後のデフォルト印刷設定情報は、印刷設定情報となる。
【００６２】
例えば、「明度」、「彩度」、「色相」、「カラーバランス」、「シャープネス」、「コントラスト」など画質を決定する要素のうち、注目する要素を例えば「明度」とし、この「明度」の調整範囲が例えば「−１００」から「＋１００」までの範囲（「＋１００」から「−１００」までの範囲）であるとした場合、「−１００」を第１の値とし、「＋１００」を第２の値とする。もちろん、「＋１００」を第１の値とし、「−１００」を第２の値としてもよい。また、画質を決定する要素の全てにおいて、デフォルト設定値は「０」とする。このような前提条件の下、第２の算出部１２４は、画質情報つまり画質を決定する一つ以上の要素のうち、注目する要素としての「明度」のみについて当該要素の値をデフォルト設定値「０」から調整範囲の第１の値「−１００」に変更する。
【００６３】
また、第２の算出部１２４は、注目する要素が第１の値となっている画質情報をシミュレーション部１２２に与えるとともに、シミュレーション部１２２からのシミュレーションの結果つまりＣＭＹＫの画像データを取得し、このＣＭＹＫの画像データを基にＣＭＹＫ色の色毎の出力プレーン情報を生成するとともに、この生成したＣＭＹＫ色の色毎の出力プレーン情報を基にＣＭＹＫ画像密度を算出する。このＣＭＹＫ画像密度を印刷設定適用時の第１のＣＭＹＫ画像密度と定義する。
【００６４】
次に、第２の算出部１２４は、デフォルト印刷設定情報の中の画質情報つまり画質を決定する一つ以上の要素のうち、上記注目する要素のみについて当該要素の値をデフォルト設定値から調整範囲の第２の値に変更する。この場合、注目する要素以外の要素の値については調整範囲に含まれるデフォルト設定値のままで変更されない。なお、前記要素の値が変更された変更後のデフォルト印刷設定情報は、印刷設定情報となる。
【００６５】
例えば、上述した例の前提条件の下、第２の算出部１２４は、画質情報つまり画質を決定する一つ以上の要素のうち、注目する要素としての「明度」のみについて当該要素の値をデフォルト設定値「０」から調整範囲の第２の値「＋１００」に変更する。
【００６６】
また、第２の算出部１２４は、注目する要素が第２の値となっている画質情報をシミュレーション部１２２に与えるとともに、シミュレーション部１２２からのシミュレーションの結果つまりＣＭＹＫの画像データを取得し、このＣＭＹＫの画像データを基にＣＭＹＫ色の色毎の出力プレーン情報を生成するとともに、この生成したＣＭＹＫ色の色毎の出力プレーン情報を基にＣＭＹＫ画像密度を算出する。このＣＭＹＫ画像密度を印刷設定適用時の第２のＣＭＹＫ画像密度と定義する。
【００６７】
続いて、第２の算出部１２４は、第１の算出部１２３によって算出されたデフォルト設定適用時のＣＭＹＫ画像密度と上述したようにして算出した印刷設定適用時の第１のＣＭＹＫ画像密度とに基づいて消費材の第１の消費率を算出するとともに、第１の算出部１２３によって算出されたデフォルト設定適用時のＣＭＹＫ画像密度と上述したようにして算出した印刷設定適用時の第２のＣＭＹＫ画像密度とに基づいて消費材の第２の消費率を算出する。
【００６８】
ここで、記録材の第１の消費率（単位＝％）および記録材の第２の消費率（単位＝％）はそれぞれ次の式を演算することで求められる。
記録材の第１の消費率＝｛（印刷設定適用時の第１のＣＭＹＫ画像密度／デフォルト設定適用時のＣＭＹＫ画像密度）−１｝×１００
記録材の第２の消費率＝｛（印刷設定適用時の第２のＣＭＹＫ画像密度／デフォルト設定適用時のＣＭＹＫ画像密度）−１｝×１００
【００６９】
すなわち、記録材の第１の消費率および記録材の第２の消費率は、デフォルト設定適用時のＣＭＹＫ画像密度のときの記録材の消費率を１００％とした場合、この記録材の消費率＝１００％に対する増減の値（消費率）を示す。
【００７０】
第２の算出部１２４は、注目する要素に関する上記第１の値から上記第２の値までの調整範囲を示す調整範囲情報つまり画質調整範囲情報とするとともに、上記第１の値に対応して求めた記録材の第１の消費率から上記第２の値に対応して求めた記録材の第２の消費率までの範囲を記録材の消費量の変動範囲を示す変動範囲情報つまり記録材消変動範囲情報とする。さらに、第２の算出部１２４は、前記画質調整範囲情報および前記記録材消変動範囲情報を制御部１３０へ出力する。
【００７１】
そして、第２の算出部１２２は、「明度」、「彩度」、「色相」、「カラーバランス」、「シャープネス」、「コントラスト」など画質を決定する要素全てについて、上述したようにして画質調整範囲情報および記録材消費変動範囲情報を生成し、制御部１３０へ出力する。
【００７２】
上述したような処理を実施した画像解析部１２０は、印刷対象の画像データおよびデフォルト印刷設定情報を制御部１３０へ出力する。
【００７３】
制御部１３０は、図２に示すように、縮小画像生成部１２１からの縮小画像と、第２の算出部１２４からの画質調整範囲情報および記録材消費変動範囲情報（画質調整範囲情報と記録材消費変動範囲情報との関係を示す情報）と、画質を決定する一つ以上の要素の値の調整に関する記録材消費抑制指針情報（記録材の消費を抑制させる指針を示す情報）とを含む画質調整画面を、ＧＵＩ１０２を介して表示部１０４に表示する（ステップＳ１０４）。
【００７４】
ここで、画質調整画面の一例を図３に示す。図３に示す画質調整画面３００には、記録材消費変動範囲情報４００、記録材消費抑制指針情報５１０、記録材総消費変動率情報５２０が表示されている。
【００７５】
画質調整画面３００は、「画質調整」の項目（タブ）３０１が選択された状態または初期状態の画面内容を示している。
【００７６】
この画質調整画面３００を説明するに際し、説明の都合上、図３に示す画質調整画面３００を、記録材消費変動範囲情報４００、記録材消費抑制指針情報５１０および記録材総消費変動率情報５２０と、これらが表示される前の画質調整画面３００とを分けることとする。この分けた状態の様子を図４に示す。
【００７７】
図４に示す例において、符号３１０は縮小画像を示し、符号３２０は明度を調整するための明度調整項目を示し、符号３３０はコントラストを調整するためのコントラスト調整項目を示し、符号３４０は彩度を調整するための彩度調整項目を示す。
【００７８】
ユーザは、明度調整項目３２０のスライドバー３２１を右方向（＋１００の方向）または左方向（−１００の方向）に移動させることにより、明度の値を調整する。この調整後の明度の値が明度値表示欄３２２に表示される。なお、明度の調整範囲は「−１００」〜「＋１００」となっている。スライドバー３２１は、画質調整画面３００が表示された時点では、明度の初期設定値に対応して明度の調整範囲の中心（値０に相当する部位）に位置するようになっている。
【００７９】
また、ユーザは、コントラスト調整項目３３０のスライドバー３３１を右方向（＋１００の方向）または左方向（−１００の方向）に移動させることにより、コントラストの値を調整する。この調整後のコントラストの値がコントラスト値表示欄３３２に表示される。なお、このコントラストの調整範囲は「−１００」〜「＋１００」となっている。スライドバー３３１は、画質調整画面３００が表示された時点では、コントラストの初期設定値に対応してコントラストの調整範囲の中心（値０に相当する部位）に位置するようになっている。
【００８０】
さらに、ユーザは、彩度調整項目３４０のスライドバー３４１を右方向（＋１００の方向）または左方向（−１００の方向）に移動させることにより、彩度の値を調整する。この調整後の彩度の値が彩度値表示欄３４２に表示される。なお、この彩度の調整範囲は「−１００」〜「＋１００」となっている。スライドバー３４１は、画質調整画面３００が表示された時点では、彩度の初期設定値に対応して彩度の調整範囲の中心（値０に相当する部位）に位置するようになっている。
【００８１】
記録材消費変動範囲情報４００は、明度の記録材消費変動範囲情報４１０、コンストラストの記録材消費変動範囲情報４２０および彩度の記録材消費変動範囲情報４３０から構成されている。
【００８２】
記録材消費変動範囲情報４００において、画質を決定する要素毎の記録材消費変動範囲情報４１０，４２０，４３０は、第１の消費率４０１、第２の消費率４０２、記録材消費変動範囲の目盛４０３の各情報を含んでいる。
【００８３】
ユーザが、入力部１０３を操作して、例えば明度に注目して、明度調整項目３２０のスライドバー３２１を、明度の画質調整範囲（「−１００」〜「＋１００」）内の所望の値に位置するように移動させた場合（明度の値を所望の値に調整した場合）、トナー消費率は、明度の記録材消費変動範囲（「＋４０％」から「−３０％」）の中の前記所望の値に応じた値（トナー消費率）となる。この場合のトナー消費率は、上述した第１のトナー消費率または第２のトナー消費率を算出する場合と同様にして算出される。
【００８４】
例えば、ユーザが、入力部１０３を操作して、例えば明度に注目して、明度調整項目３２０のスライドバー３２１を左方向（−１００の方向）に移動させて、明度の値を「−１００」にした場合には第１のトナー消費率４０１は「＋４０％」となり、これに対しスライドバー３２１を右方向（＋１００の方向）に移動させて、明度の値を「＋１００」にした場合は第２のトナー消費率４０２は「−３０％」となる。すなわち、明度の画質調整範囲において値「−１００」から値「＋１００」まで変化させたときは、記録材の消費率（トナー消費率）は「＋４０％」から「−３０％」まで変化（変動）することになる。
【００８５】
記録材消費抑制指針情報５１０は、記録材の消費量を抑制させるための指針の一例の内容となっている。ユーザは、記録材消費抑制指針情報５１０の内容を参考にして、明度調整項目３２０、コントラスト調整項目３３０および彩度調整項目３４０の何れかの調整項目について画質調整を行い、記録材の消費量を抑制させるようにする。
【００８６】
記録材総消費変動率情報５２０は、記録材総消費変動率（トナー総消費変動率）５２１の項目とこの項目に対応して実際の記録材総消費変動率（トナー総消費変動率）を表示する記録材総消費変動率表示欄５２２とから構成されている。記録材総消費変動率表示欄５２２には、画質調整画面３００が表示された時点では０％の値（記録材総消費変動率）が表示されるようになっている。なお、記録材がトナーの場合、記録材総消費変動率はトナー総消費変動率であると言える。
【００８７】
なお、第１の実施の形態において、記録材消費変動範囲情報４００、記録材消費抑制指針情報５１０、および記録材総消費変動率情報５２０は、記録材の消費に関する情報である。
【００８８】
ところで、ユーザの入力部１０３の操作により、画質調整画面３００において明度調整項目３２０、コントラスト調整項目３３０および彩度調整項目３４０のうち少なくとも一つの調整項目について画質調整が行われると、その画質調整された調整項目の値がＧＵＩ１０２を介して画像処理部１００の制御部１３０に与えられる。
【００８９】
制御部１３０は、図２に示すように、ＧＵＩ１０２を介して取得した画質調整の結果（画質調整後の一つ以上の要素の値）を基に記録材総消費変動率を求め（ステップＳ１０５）、該記録材総消費変動率をリアルタイムで画質調整画面３００の記録材総消費変動率表示欄５２２に表示する（ステップＳ１０６）。
【００９０】
例えば、記録材総消費変動率（トナー総消費変動率）を算出するに際し、制御部１３０は、例えば明度調整項目３２０のみについて画質調整が行われた場合、明度の画質調整範囲内（「−１００」〜「＋１００」）で線形に対応する、記録材総消費変動率（トナー総消費変動率）を算出することになる。この場合、明度の画質調整範囲の中の所望の値と記録材総消費変動率（トナー総消費変動率）との関係は１次関数（Ｙ＝ａＸ）になるとは限らない。
【００９１】
また、制御部１３０は、上記取得した画質調整の結果（画質調整後の一つ以上の要素の値）を基にデフォルト印刷設定情報または印刷設定情報の中の画質情報を変更する。なお、今回取得された画質調整の結果が最初のものであるときは、デフォルト印刷設定情報の中の画質情報が変更される。この場合、デフォルト印刷設定情報のデフォルト設定値が変更された後は印刷設定情報となる。一方、今回取得された画質調整の結果が２回目以降のものであるときは、印刷設定情報の中の画質情報が変更される。
【００９２】
ここで、図３に示す画質調整画面３００（図４も参照）の状態から明度調整項目３２０の明度およびコントラスト調整項目３３０のコントラストが画質調整された場合の画質調整画面３００の一例を図５に示す。図５に示す画質調整画面３００においては、明度の値が「＋６５」に設定され、かつコントラストの値が「−６１」に設定された場合に、記録材総消費変動率表示欄５２２には記録材総消費変動率（トナー総消費変動率）として「−１５％」が表示されている。
【００９３】
さて、制御部１３０は、図２に示すように、ＧＵＩ１０２を介して、画質調整の結果とともに「ＯＫ」ボタン３５０が押下された旨を取得したか否かに応じて、画質調整が終了したか否かを判断する（ステップＳ１０７）。
【００９４】
制御部１３０は、ステップＳ１０７において、画質調整の結果のみを取得したので画質調整は終了していないと判断した場合にはステップＳ１０５に戻り、一方、画質調整の結果とともに「ＯＫ」ボタン３５０が押下された旨を取得したので、画質調整は終了したと判断した場合は、画質調整後の印刷設定情報および印刷対象の画像データを画像出力部１４０へ出力する。
【００９５】
画像出力部１４０は、受け取った印刷設定情報および印刷対象の画像データを印刷ジョブとして図示しないプリンタに向けて出力して印刷要求を行う（ステップＳ１０８）。
【００９６】
ところで、ユーザは、画質調整に含まれるカラーバランス調整を行う場合は、図５に示す画質調整画面３００の「カラーバランス」の項目（タブ）３０２を選択する。
【００９７】
すると、表示部１０４に表示されている画質調整画面３００は、図６に示すカラーバランス調整画面６００に変更される。このカラーバランス調整画面６００は初期状態の画面内容を示している。
【００９８】
図６に示す例において、符号６１０はカラーバランス調整の対象とする色を指定するための色指定欄を示し、符号６２１は低濃度を調整するための低濃度調整項目を示し、符号６２２は中濃度を調整するための中濃度調整項目を示し、符号６２３は高濃度を調整するための高濃度調整項目を示し、符号６３１，６３２，６３３はそれぞれ該当する濃度調整項目に対応する記録材消費変動範囲情報を示し、符号６４０は記録材消費抑制指針情報を示し、符号６５０は記録材総消費変動率情報を示す。
【００９９】
色指定欄６１０にはブラック、シアン、マゼンタ、イエローの各色の名称が表示されているので、ユーザは入力部１０３を操作してカラーバランス調整の対象とする所望の色の名称を選択する。この例では初期状態（デフォルト設定）としてブラックの名称が選択されている。
【０１００】
低濃度調整項目６２１、中濃度調整項目６２２および高濃度調整項目６２３の濃度の調整範囲は「−３」〜「＋３」となっており、各濃度調整項目の濃度値はデフォルト設定値（値「０」）となっている。
【０１０１】
低濃度調整項目６２１に対応して記録材消費変動範囲が「−１０％」から「＋５％」までの範囲となっている記録材消費変動範囲情報６３１が、また中濃度調整項目６２２に対応して記録材消費変動範囲が「−２０％」から「＋３０％」までの範囲となっている記録材消費変動範囲情報６３２が、さらに高濃度調整項目６２３に対応して記録材消費変動範囲が「−４０％」から「＋５０％」までの範囲となっている記録材消費変動範囲情報６３３が、それぞれ表示されている。
【０１０２】
記録材消費抑制指針情報６４０は、カラーバランス調整の対象とする色としてブラックが選択された場合の記録材消費抑制指針を示している。
【０１０３】
記録材総消費変動率情報６５０は、各濃度調整項目６２１，６２２，６２３の濃度値に応じた記録材総消費変動率（トナー総消費変動率）が記録材総消費変動率表示欄６５１に表示される。この例では、各濃度調整項目６２１，６２２，６２３の濃度値がデフォルト設定値（値「０」）となっているので、記録材総消費変動率「０％」が記録材総消費変動率表示欄６５１に表示されている。
【０１０４】
ユーザの入力部１０３の操作により、図６に示すカラーバランス調整画面６００において、色指定欄６１０の各色の名称の中から対象の色の名称が選択され、各濃度調整項目６２１，６２２，６２３のうち少なくとも一つの濃度調整項目について濃度調整（画質調整）が行われると、制御部１３０は、その画質調整の結果に応じた記録材総消費変動率を求め、この記録材総消費変動率を、ＧＵＩ１０２を介して、表示部１０４に表示されているカラーバランス６００の記録材総消費変動率表示欄６５１に表示させる。
【０１０５】
そして、「ＯＫ」ボタン６６０が押下された場合、カラーバランス調整画面６００の各濃度調整項目６２１，６２２，６２３の濃度値が、ＧＵＩ１０２を介して画像処理部１００の制御部１３０に与えられる。
【０１０６】
なお、上述した明度調整項目３２０、コントラスト調整項目３３０および彩度調整項目３４０に対応する明度の記録材消費変動範囲情報４１０、コンストラストの記録材消費変動範囲情報４２０および彩度の記録材消費変動範囲情報４３０の各記録材消費変動範囲と、低濃度調整項目６２１、中濃度調整項目６２２および高濃度調整項目６２３に対応する記録材消費変動範囲情報６３１，６３２，６３３の各記録材消費変動範囲は、印刷対象の画像（画像データ）毎に求められ変動するものである。画質を決定する要素毎（明度、コントラスト、彩度、カラーバランスなど）の画質調整範囲を同一とした場合であっても、その画質調整範囲に対応する記録材消費変動範囲は、例えば印刷対象の画像の絵柄や使用色により異なる。
【０１０７】
以上説明したように第１の実施の形態では、ユーザは、画質調整量（画質調整の結果）と記録材消費量との関係を視認することにより、記録材消費量を考慮した画質調整（所望の画質調整）を実施するようにする。
【０１０８】
すなわち、画質情報（画質を決定する要素）の調整範囲に対応して、画質情報（画質を決定する要素）の予め定められる値（デフォルト設定値）での記録材の消費量に対しその消費量が減少する場合の値とその消費量が増加する場合の値とを含んでいる記録材消費変動範囲情報が表示されるので、ユーザは記録材消費変動範囲情報を参考にして、画質を決定する所望の要素の画質調整を実施するようにする。
【０１０９】
上述したように記録材消費変動範囲情報には画質情報（画質を決定する要素）の予め定められる値（デフォルト設定値）での記録材の消費量に対しその消費量が増加する場合の値も含まれているので、記録材セーブを目的としないユーザにおいても、記録材消費変動範囲情報を参考にすることで、記録材の消費量の増加を抑制するべく画質調整が行われることになる。
【０１１０】
次に、画像処理装置１０のハードウェア構成について、図７を参照して説明する。
【０１１１】
画像処理装置１０は、図７に示すように、ＣＰＵ１１、記憶装置１２、ＲＯＭ１３、ＲＡＭ１４、入力Ｉ／Ｆ１５Ａ、出力Ｉ／Ｆ１５Ｂ、通信Ｉ／Ｆ１５Ｃ、入力Ｉ／Ｆ１５Ａに接続された入力装置１６、および出力Ｉ／Ｆ１５Ｂに接続された表示装置１７を有している。各構成要素１１〜１４，１５Ａ〜１５Ｃはシステムバス１８に接続されている。
【０１１２】
記憶装置１２は、例えばハードディスクであり、画像処理プログラム１２Ａ、図１に示したＧＵＩ１０２、アプリケーションソフトウェア１０５などインストールされたプログラムを記憶している。
【０１１３】
画像処理プログラム１２Ａは、図１に示した画像処理部１００（構成要素１１０〜１４０）の機能を実現するためのソフトウェア（プログラム）、図２に示した画質情報の設定処理の処理手順に対応するソフトウェア（プログラム）を含んでいる。
【０１１４】
画像処理部１００（構成要素１１０〜１４０）の機能には、画像解析部１２０の各構成要素１２１〜１２４の各機能が含まれる。
【０１１５】
なお、画像処理部１００において、画像解析部１２０の第１の算出部１２３は第１の算出処理過程を実行し、第２の算出部１２４は第２の算出処理過程を実行し、制御部１３０は制御処理過程を実行する。
【０１１６】
また、記憶装置１２は、図１に示したデフォルト印刷設定情報記憶部１０１の機能を果たす。
【０１１７】
ＲＯＭ１３は、読み出し専用メモリであり、上記数１で示される式に対応する式情報、外部の装置と通信するための通信プロトコル情報などを記憶している。
【０１１８】
ＲＡＭ１４は、随時書き込み読み出しメモリであり、記憶装置１２から読み込まれた画像処理プログラム１２Ａを含むプログラム（ＧＵＩ１０２、アプリケーションソフトウェア１０５を含む）、ＲＯＭ１３から読み込まれた式情報、デフォルト印刷設定情報、通信プロトコル情報を記憶する。
【０１１９】
また、ＲＡＭ１４には、画像処理部１００が処理するのに必要な記憶領域（ワークエリア）が割り当てられている。このワークエリアには、縮小画像生成部１２１による縮小画像生成処理、シミュレーション部１２２によるシミュレーション処理、第１の算出部１２３による算出処理、第２の算出部１２４による算出処理、制御部１３０による制御処理の各処理の途中結果や最終結果、印刷対象の画像データ、印刷設定情報、画質調整画面、画像処理部１００がデフォルト印刷設定情報記憶部１０１（記憶装置１２）から読み込んだデフォルト印刷設定情報などが記憶される。
【０１２０】
入力Ｉ／Ｆ（入力インタフェース）１５Ａおよび出力Ｉ／Ｆ（出力インタフェース）１５Ｂはそれぞれデータ通信を実行するＣＰＵ（中央演算処理装置）を備え、入力Ｉ／Ｆ１５Ａは入力装置１６とのデータ通信を行い、出力Ｉ／Ｆ１５Ｂは表示装置１７とのデータ通信を行う。入力装置１６は図１に示した入力部１０３の機能を果たし、表示装置１７は図１に示した表示部１０４の機能を果たす。
【０１２１】
通信Ｉ／Ｆ（通信インタフェース）１５Ｃは、データ通信を実行するＣＰＵ（中央演算処理装置）を備えており、ＲＯＭ１３からＲＡＭ１４へ上記通信プロトコル情報を読み込んで実行することにより、画像形成装置としてのプリンタ９０とのデータ通信を行う。
【０１２２】
ＣＰＵ１１は、中央演算処理装置であり、記憶装置１２からＲＡＭ１４へ、画像処理プログラム１２Ａを含むプログラムを読み込んで実行することにより、上述した画像処理部１００の各構成要素の機能を実現するとともに、画像処理プログラム１２Ａに対応する処理機能を実現する。また、ＣＰＵ１１は画像処理装置１０全体を制御する。
【０１２３】
（第２の実施の形態）
【０１２４】
第２の実施の形態に係わる画像処理装置は、図１に示した第１の実施の形態の画像処理装置１０の機能構成と同様になっている。
【０１２５】
なお、画像処理部１００の制御部１３０は、第１の実施の形態の制御部１３０の機能に加えて、画質を決定する一つ以上の要素以外の記録材の消費に影響を与える設定項目について、当該設定項目に属する複数の選択肢のそれぞれに対応して記録材の消費量の変動に関する情報を表示部１０４に表示させる制御を行う機能を有している。
【０１２６】
記録材の消費に影響を与える設定項目としては、カラーモード、印刷モード、画質調整モード、画質タイプが挙げられる。
【０１２７】
これらの設定項目を変更するための印刷設定プロパティの一例を図８に示す。
【０１２８】
図８に示す印刷設定プロパティ７００は、「グラフィック」７０１の項目（タブ）が選択された場合のデフォルト状態の内容を示しており、カラーモード７１０、印刷モード７２０、画質調整モード７３０、おすすめ画質タイプ７４０の各設定項目と、トナー使用量（トナー消費率）７５０の項目と、縮小画像７６０とを有している。各設定項目７１０〜７４０の設定値がデフォルト設定された値（モードまたはタイプ）となっており、トナー使用量（トナー消費率）７５０の項目の値もデフォルト設置値（０％）になっている。
【０１２９】
また、印刷設定プロパティ７００には、画質調整画面を表示するための「画質調整」ボタン７０２、カラーバランス調整画面を表示するための「カラーバランス」ボタン７０３、上述した各設定項目の設定値を確定するための「ＯＫ」ボタン７０４が設けられている。ちなみに、「画質調整」ボタン７０２が押下されると、図３に示した第１の実施の形態の画質調整画面３００が表示部１０４に表示される。
【０１３０】
最初に、おすすめ画質タイプ７４０の設定値を変更する例を、図９を参照して説明する。
【０１３１】
図８に示す例の状態から、図９に示す例の如く、おすすめ画質タイプ７４０に属する選択肢としての「標準（デフォルト）」、「写真」、「プレゼンテーション」、「ｗｅｂページ」、「ＣＡＤ」、「ＰＯＰ」の中から例えば「ｗｅｂページ」を選択して、おすすめ画質タイプ７４０の設定値を「標準（デフォルト）」から「ｗｅｂページ」に変更する。
【０１３２】
この場合、ディスプレイ表示再現を重視した内部画像処理となり、記録材の消費量の変動に関する情報つまりトナー使用量（トナー消費率）も変動する。そのため、トナー使用量（トナー消費率）７５０の項目には変動後のトナー使用量（トナー消費率）が表示される。
【０１３３】
次に、カラーモード７１０の設定値を変更する例を、図１０を参照して説明する。
【０１３４】
図８に示す例の状態から、図１０に示す例の如く、カラーモード７１０に属する選択肢としての「カラー（自動判別）」と「白黒」とを切り替える。例えば、印刷対象の画像がカラー画像の場合、カラーモード７１０の設定値を自動判別により選択された「カラー（自動判別）」から「白黒」に変更する。この場合、カラー画像が白黒印刷されることで記録材の消費量の変動に関する情報つまりトナー使用量（トナー消費率）も変動する。そのため、トナー使用量（トナー消費率）７５０の項目には変動後のトナー使用量（トナー消費率）が表示される。
【０１３５】
続いて、印刷モード７２０の設定値を変更する例を、図１１を参照して説明する。
【０１３６】
図８に示す例の状態から、図１１に示す例の如く、印刷モード７２０に属する選択肢としての「標準」、「高画質」、「高精細」の中から所望の選択肢を選択する。この場合、選択された選択肢に応じて内部処理での解像度、スクリーン構造が変更され、記録材の消費量の変動に関する情報つまりトナー使用量（トナー消費率）が変動する。そのため、トナー使用量（トナー消費率）７５０の項目には変動後のトナー使用量（トナー消費率）が表示される。
【０１３７】
最後に、画質調整モード７３０の設定値を変更する例を、図１２を参照して説明する。
【０１３８】
図８に示す例の状態から、図１２に示す例の如く、画質調整モード７３０に属する選択肢としての「おすすめ（デフォルト）」、「ＩＣＭ調整」、「ＣＭＳ調整」、「色変換しない」の中から所望の選択肢を選択する。選択された選択肢に応じて、色変換プロファイルが異なるので、トナー使用量（トナー消費率）が変動する。そのため、トナー使用量（トナー消費率）７５０の項目には変動後のトナー使用量（トナー消費率）が表示される。
【０１３９】
また、画質調整モード７３０の設定値として「ＩＣＭ調整」が選択され設定された場合、図１３に示すように、画質調整モード７３０に対応して「インテント」７７０の項目が表示され、その「インテント」７７０に属する選択肢としての色変換方式「いろあざやか」、「コントラスト」、「カラーメトリック」の中から所望の選択肢（色変換方式）を選択する。選択された選択肢（色変換方式）に応じて記録材の消費量の変動に関する情報つまりトナー使用量（トナー消費率）が変動する。そのため、トナー使用量（トナー消費率）７５０の項目には変動後のトナー使用量（トナー消費率）が表示される。
【０１４０】
なお、「ＩＣＭ調整」が選択された場合は、プリンタドライバつまり画像処理部１００の有するＩＣＭ機能を使用して色変換を行う。「インテント」７７０から色の変換方式を選択する。この場合、「色の管理」のタブ（図示せず）で、印刷先としてのプリンタに対応するＩＣＣプロファイルを指定する。
【０１４１】
「ＣＭＳ調整」が選択された場合は、プリンタドライバつまり画像処理部１００では色変換しない。独自のＣＭＳ（カラーマネジメントシステム）を持つアプリケーションから印刷する場合は、プリンタ本体の特性に合わせて変換された色データをプリンタドライバつまり画像処理部１００に指示する。この場合、プリンタドライバで二重に色変換しないように、「ＣＭＳ調整」の項目を選択する。
【０１４２】
「色変換しない」が選択された場合は、プリンタドライバつまり画像処理部１００やアプリケーションでは色変換しない。また、プリンタ本体側も特別な色変換の処理はせずに補色変換のみ行う。
【０１４３】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１４４】
また、プログラムを用いる場合には、ネットワークを介して提供し、或いはＣＤ−ＲＯＭ等の記憶媒体に格納して提供してもよい。
【０１４５】
すなわち、画像処理プログラムを含むプログラムをハードディスク等の記憶装置に記録する場合に限らず、当該プログラムを次のようにして提供してもよい。
【０１４６】
たとえば、プログラムをＲＯＭに格納しておき、ＣＰＵが、このプログラムをこのＲＯＭから主記憶装置へローディングして実行するようにしてもよい。
【０１４７】
また、上記プログラムを、ＤＶＤ−ＲＯＭ、ＣＤ−ＲＯＭ、ＭＯ（光磁気ディスク）、フレキシブルディスク、などのコンピュータ読み取りされる記憶媒体に格納して配布するようにしてもよい。
【０１４８】
さらには、画像処理装置等を通信回線（例えばインターネット）を介してサーバ装置あるいはホストコンピュータと接続するようにし、サーバ装置あるいはホストコンピュータから上記プログラムをダウンロードした後、このプログラムを実行するようにしてもよい。この場合、このプログラムのダウンロード先としては、ＲＡＭ等のメモリやハードディスクなどの記憶装置（記憶媒体）が挙げられる。
【産業上の利用可能性】
【０１４９】
本発明の画像処理装置は、トナーで画像を形成する画像形成装置（電子写真プロセス方式の画像形成装置）、あるいはインクで画像を形成する画像形成装置（インクジェット方式の画像形成装置）に向けて印刷データを送信する画像処理装置に適用してもよい。
【符号の説明】
【０１５０】
１０  画像処理装置
１１  ＣＰＵ
１２  記憶装置
１２Ａ  画像処理プログラム
１３  ＲＯＭ
１４  ＲＡＭ
１６  入力装置
１７  表示装置
１００  画像処理部
１０１  デフォルト印刷設定情報記憶部
１０２  グラフィカルユーザインタフェース
１０３  入力部
１０４  表示部
１１０  データ読込部
１２０  画像解析部
１２１  縮小画像生成部
１２２  シミュレーション部
１２３  第１の算出部
１２４  第２の算出部
１３０  制御部
１４０  画像出力部
３００  画質調整画面
４００，６３１〜６３３  記録材消費変動範囲情報
５１０，６４０  記録材消費抑制指針情報
５２０，６５０  記録材総消費変動率情報
６００  カラーバランス調整画面
７００  印刷設定プロパティ
７１０〜７４０  記録材の消費に影響を与える設定項目
７５０  トナー使用量（トナー消費率）の項目
【図１】
2011053980.tif 000004
【図２】
2011053980.tif 000005
【図３】
2011053980.tif 000006
【図４】
2011053980.tif 000007
【図５】
2011053980.tif 000008
【図６】
2011053980.tif 000009
【図７】
2011053980.tif 000010
【図８】
2011053980.tif 000011
【図９】
2011053980.tif 000012
【図１０】
2011053980.tif 000013
【図１１】
2011053980.tif 000014
【図１２】
2011053980.tif 000015
【図１３】
2011053980.tif 000016